(57)【要約】【課題】容易に毛髪をかつらベースに植毛できる植毛器具及びこれを用いた植毛方法を提供する。【解決手段】植毛器具１では、基部２の先端部８に対して開閉自在に設けられた第１可動片１６ａを使用して、毛髪３１に結び目を形成する際に、第１可動片１６ａと先端部８との間に毛髪３１を挟んで保持する。また、植毛器具１では、先端部８を介在して第１可動片１６ａと対向する位置に、第１可動片１６ａと独立して開閉自在に設けられた第２可動片１６ｂを使用し、毛髪３１に結び目を形成する際に、第２可動片１６ｂと先端部８との間に毛髪３１を挟んで保持する。【選択図】図２
2020193404.tif 000002
【特許請求の範囲】
【請求項１】
毛髪に結び目を形成してかつらベースに前記毛髪を植毛するための植毛器具であって、
棒状の基部と、
前記基部に沿って設けられ、前記基部の先端部で前記毛髪を保持可能な第１保持部と、
前記基部に沿って設けられ、前記先端部で前記毛髪を保持可能な第２保持部と、
を備え、
前記第１保持部は、
前記先端部に対して第１可動片が開閉自在に設けられ、前記第１可動片と前記先端部との間に前記毛髪を挟んで保持する第１保持機構を備えており、
前記第２保持部は、
前記先端部を介在して前記第１可動片と対向する位置に、第２可動片が前記第１可動片と独立して開閉自在に設けられ、前記第２可動片と前記先端部との間に前記毛髪を挟んで保持する第２保持機構を備えている、
植毛器具。
【請求項２】
前記第１可動片及び前記第２可動片の少なくともいずれか一方は、前記先端部との間に中空領域を形成する湾曲形状を有しており、前記中空領域にて前記毛髪を遊動自在に保持する、
請求項１に記載の植毛器具。
【請求項３】
前記第１可動片及び前記第２可動片の少なくともいずれか一方は、前記先端部と密着する平坦面を有しており、前記先端部と前記平坦面とにより前記毛髪を挟持する、
請求項１に記載の植毛器具。
【請求項４】
前記第１可動片は、前記先端部との間に中空領域を形成する湾曲形状を有しており、前記中空領域にて前記毛髪を遊動自在に保持し、
前記第２可動片は、前記先端部と密着する平坦面を有しており、前記先端部と前記平坦面とにより前記毛髪を挟持する、
請求項１に記載の植毛器具。
【請求項５】
前記先端部は、三角支柱状又は台形支柱状でなり、前記第１可動片が対向する第１側面と、前記第２可動片が対向する第２側面とが傾斜している、
請求項１〜４のいずれか１項に記載の植毛器具。
【請求項６】
毛髪に結び目を形成してかつらベースに前記毛髪を植毛する植毛方法であって、
請求項１〜５のうちいずれかに記載の植毛器具を用意する準備工程と、
Ｕ字状に２つ折りにされた前記毛髪を前記かつらベースの線状部で折り返し、前記毛髪に第１ループを形成し、前記第１ループと、前記毛髪の自由端である２本の毛片とを前記かつらベースの一方の面側で対向配置させる第１ループ形成工程と、
前記第１ループの中に前記植毛器具の先端を挿入した後、前記植毛器具の第１保持機構により、少なくとも１本の自由端である前記毛片を保持する第１毛片保持工程と、
前記第１保持機構で前記毛片を保持したまま前記植毛器具を前記第１ループから引き抜く第１引き抜き工程と、
前記第１保持機構で前記毛片を保持したまま前記植毛器具を前記第１ループの側方に移動させて、前記第１保持機構で保持している前記毛片を前記第１ループで折り返して第２ループを形成し、前記第２ループの中に前記植毛器具の第２保持機構を挿入する第２ループ形成工程と、
前記第２保持機構により、少なくとも１本の自由端である前記毛片を保持するとともに、前記第１保持機構で保持している前記毛片を離して、前記毛片を持ち替える第２毛片保持工程と、
前記第２保持機構で前記毛片を保持したまま前記植毛器具を前記第２ループから引き抜いて、前記毛髪に前記結び目を形成する第２引き抜き工程と、
を有する、植毛方法。
【請求項７】
前記第１毛片保持工程と前記第１引き抜き工程と前記第２ループ形成工程とでは、
前記第１保持機構によって前記毛髪を遊動自在に保持する、
請求項６に記載の植毛方法。
【請求項８】
前記第２毛片保持工程と前記第２引き抜き工程とでは、
前記第２保持機構によって前記毛髪を挟持する、
請求項６又は７に記載の植毛方法。
【発明の詳細な説明】
【技術分野】
【０００１】
本発明は、植毛器具及びこれを用いた植毛方法に関する。
【背景技術】
【０００２】
かつらは、頭部の形状や頭部を覆う範囲等に応じて形成されたかつらベースに、天然毛髪や人工毛髪等の毛髪を植毛することで作製される。かつらベースは、繊維部材でなる線状部により、網目状に形成されている。このような、かつらベースの線状部に毛髪を結着する場合には、例えば、特許文献１に示すように、１つの鈎針を備えた植毛器具を使用して、毛髪にループを形成したり、或いは、ループ内から毛髪を引き抜いたりして毛髪に結び目を形成している。
【先行技術文献】
【特許文献】
【０００３】
【特許文献１】特開２０１７−０６６５３５号公報
【発明の概要】
【発明が解決しようとする課題】
【０００４】
しかしながら、特許文献１では、植毛器具の先端部にある１つの鈎針だけを用いていることから、例えば、鈎針に毛髪を引っ掛けた状態のまま、次の異なる作業が行えない場合もあり、一旦、毛髪を鈎針から外した後に、改めて毛髪の他の箇所を鈎針に引っ掛ける等の作業を行うこともある。このため、鈎針から外した毛髪が絡まないように植毛作業を行うには熟練を要し、容易に毛髪をかつらベースに植毛し難いという問題があった。
【０００５】
そこで、本発明は、容易に毛髪をかつらベースに植毛できる植毛器具及びこれを用いた植毛方法を提供することを目的とする。
【課題を解決するための手段】
【０００６】
本発明の植毛器具は、毛髪に結び目を形成してかつらベースに前記毛髪を植毛するための植毛器具であって、棒状の基部と、前記基部に沿って設けられ、前記基部の先端部で前記毛髪を保持可能な第１保持部と、前記基部に沿って設けられ、前記先端部で前記毛髪を保持可能な第２保持部と、を備え、前記第１保持部は、前記先端部に対して第１可動片が開閉自在に設けられ、前記第１可動片と前記先端部との間に前記毛髪を挟んで保持する第１保持機構を備えており、前記第２保持部は、前記先端部を介在して前記第１可動片と対向する位置に、第２可動片が前記第１可動片と独立して開閉自在に設けられ、前記第２可動片と前記先端部との間に前記毛髪を挟んで保持する第２保持機構を備えている。
【０００７】
また、本発明の植毛方法は、毛髪に結び目を形成してかつらベースに前記毛髪を植毛する植毛方法であって、上記の植毛器具を用意する準備工程と、Ｕ字状に２つ折りにされた前記毛髪を前記かつらベースの線状部で折り返し、前記毛髪に第１ループを形成し、前記第１ループと、前記毛髪の自由端である２本の毛片とを前記かつらベースの一方の面側で対向配置させる第１ループ形成工程と、前記第１ループの中に前記植毛器具の先端を挿入した後、前記植毛器具の第１保持機構により、少なくとも１本の自由端である前記毛片を保持する第１毛片保持工程と、前記第１保持機構で前記毛片を保持したまま前記植毛器具を前記第１ループから引き抜く第１引き抜き工程と、前記第１保持機構で前記毛片を保持したまま前記植毛器具を前記第１ループの側方に移動させて、前記第１保持機構で保持している前記毛片を前記第１ループで折り返して第２ループを形成し、前記第２ループの中に前記植毛器具の第２保持機構を挿入する第２ループ形成工程と、前記第２保持機構により、少なくとも１本の自由端である前記毛片を保持するとともに、前記第１保持機構で保持している前記毛片を離して、前記毛片を持ち替える第２毛片保持工程と、前記第２保持機構で前記毛片を保持したまま前記植毛器具を前記第２ループから引き抜いて、前記毛髪に前記結び目を形成する第２引き抜き工程と、を有する。
【発明の効果】
【０００８】
本発明では、第１保持機構で毛片を保持したまま、必要に応じて第２保持機構でも毛片を保持することができるので、毛髪を絡ませずに植毛作業を行うことができる。かくして、容易に毛髪をかつらベースに植毛できる。
【図面の簡単な説明】
【０００９】
【図１】本発明の植毛器具の全体構成を示す概略図である。
【図２】図２Ａは、図１のＣ−Ｃ´部分の断面構成を示した断面図であり、図２Ｂは、先端部、第１保持機構及び第２保持機構の詳細構成を示す部分拡大図である。
【図３】図２Ｂの矢印Ｄ方向から見た先端部、第１保持機構及び第２保持機構の構成を示した概略図である。
【図４】第１可動片を開状態にしたときに、図３の矢印Ａ方向から第１保持機構を見たときの構成を示した概略図である。
【図５】第２可動片を開状態にしたときに、図３の矢印Ｂ方向から第２保持機構を見たときの構成を示した概略図である。
【図６】植毛器具の持ち方の一例を示す概略図である。
【図７】図７Ａは、本発明の植毛器具を使用して「パンダブル植え」により毛髪を植毛するときの作業工程（１）を説明するための概略図であり、図７Ｂは、本発明の植毛器具を使用して「パンダブル植え」により毛髪を植毛するときの作業工程（２）を説明するための概略図である。
【図８】図８Ａは、本発明の植毛器具を使用して「パンダブル植え」により毛髪を植毛するときの作業工程（３）を説明するための概略図であり、図８Ｂは、本発明の植毛器具を使用して「パンダブル植え」により毛髪を植毛するときの作業工程（４）を説明するための概略図である。
【図９】図９Ａは、本発明の植毛器具を使用して「パンダブル植え」により毛髪を植毛するときの作業工程（５）を説明するための概略図であり、図９Ｂは、本発明の植毛器具を使用して「パンダブル植え」により毛髪を植毛するときの作業工程（６）を説明するための概略図である。
【図１０】図１０Ａは、本発明の植毛器具を使用して「パンダブル植え」により毛髪を植毛するときの作業工程（７）を説明するための概略図であり、図１０Ｂは、本発明の植毛器具を使用して「パンダブル植え」により毛髪を植毛するときの作業工程（８）を説明するための概略図である。
【図１１】図１１Ａは、本発明の植毛器具を使用して「シングルパンシングル植え」により毛髪を植毛するときの作業工程（１）を説明するための概略図であり、図１１Ｂは、本発明の植毛器具を使用して「シングルパンシングル植え」により毛髪を植毛するときの作業工程（２）を説明するための概略図である。
【図１２】図１２Ａは、本発明の植毛器具を使用して「シングルパンシングル植え」により毛髪を植毛するときの作業工程（３）を説明するための概略図であり、図１２Ｂは、本発明の植毛器具を使用して「シングルパンシングル植え」により毛髪を植毛するときの作業工程（４）を説明するための概略図である。
【図１３】図１３Ａは、本発明の植毛器具を使用して「シングルパンシングル植え」により毛髪を植毛するときの作業工程（５）を説明するための概略図であり、図１３Ｂは、本発明の植毛器具を使用して「シングルパンシングル植え」により毛髪を植毛するときの作業工程（６）を説明するための概略図である
【図１４】図１４Ａは、本発明の植毛器具を使用して「ダブルシングル植え」により毛髪を植毛するときの作業工程（１）を説明するための概略図であり、図１４Ｂは、本発明の植毛器具を使用して「ダブルシングル植え」により毛髪を植毛するときの作業工程（２）を説明するための概略図である。
【図１５】図１５Ａは、本発明の植毛器具を使用して「ダブルシングル植え」により毛髪を植毛するときの作業工程（３）を説明するための概略図であり、図１５Ｂは、本発明の植毛器具を使用して「ダブルシングル植え」により毛髪を植毛するときの作業工程（４）を説明するための概略図である。
【図１６】他の実施形態による植毛器具の構成（１）を示す概略図であり、図１６Ａは、第１保持機構及び第２保持機構を両方とも閉状態としたときの概略図であり、図１６Ｂは、第１保持機構及び第２保持機構を両方とも開状態としたときの概略図である。
【図１７】他の実施形態による植毛器具の構成（２）を示す概略図であり、図１７Ａは、第１保持機構及び第２保持機構を両方とも閉状態としたときの概略図であり、図１７Ｂは、第１保持機構及び第２保持機構を両方とも開状態としたときの概略図である。
【発明を実施するための形態】
【００１０】
以下、図面を参照して本発明の実施形態について詳細に説明する。
（１）本発明の植毛器具の構成
図１は、本発明の植毛器具１の全体構成を示した概略図である。植毛器具１は、天然毛髪又は人工毛髪等の毛髪を、かつらベースの線状部に結び付ける際に用いられる。この場合、植毛器具１は、棒状の基部２と、基部２に沿って設けられた第１保持部３と、同じく基部２に沿って設けられた第２保持部４と、を備えている。本実施形態の場合、これら基部２、第１保持部３及び第２保持部４は、例えば、アルミニウムやステンレス、チタン、鉄等の金属材料により形成されている。
【００１１】
基部２は、例えば、円柱状の軸部６を有しており、軸部６の先端に三角支柱状の先端部８が一体成形されている。また、軸部６の基端にはリング状の把持部７が一体形成されている。なお、先端部８及び軸部６を合わせた長さは、特に限定されるものではなく、毛髪を結び付けるかつらベースと作業者との距離を考慮して適宜選定することが望ましい。
【００１２】
第１保持部３は、内部が中空に形成された直線状の第１筒部９ａを備えており、当該第１筒部９ａが基部２の軸部６に沿って設けられている。第１筒部９ａには、内部の中空形状に合わせて形成された、棒状の第１可動軸１２ａが挿通されている。この第１可動軸１２ａは、軸方向に外力が与えられると、当該外力が与えられた方向に向けて第１筒部９ａ内を移動する。
【００１３】
第１可動軸１２ａには、第１保持機構１０ａが先端に設けられているとともに、リング状の把持部１１ａが基端に一体成形されている。第１可動軸１２ａは、把持部１１ａが第１保持機構１０ａに近づく方向ｘ１に向けて押されると、第１筒部９ａの内面に摺接して第１保持機構１０ａ側に向けて移動する。また、第１可動軸１２ａは、把持部１１ａが第１保持機構１０ａから遠ざかる方向ｘ２に向けて引かれると、第１筒部９ａの内面に摺接して把持部１１ａ側に向けて移動する。
【００１４】
第１保持機構１０ａは、第１可動片１６ａを有しており、第１筒部９ａに設けられた回動部１９に第１可動片１６ａの基端が回動可能に設けられている。第１可動片１６ａは、第１可動軸１２ａがｘ１方向又はｘ２方向に移動することにより、基端を回動軸として先端が開閉可能な構成を有している。なお、第１保持機構１０ａの詳細な構成については後述する。
【００１５】
一方、第２保持部４にも、内部が中空に形成された直線状の第２筒部９ｂを備えており、当該第２筒部９ｂが基部２の軸部６に沿って設けられている。また、第２保持部４の第２筒部９ｂにも、内部の中空形状に合わせて形成された、棒状の第２可動軸１２ｂが挿通されている。この第２可動軸１２ｂも、軸方向に外力が与えられると、当該外力が与えられた方向に向けて第２筒部９ｂ内を移動する。
【００１６】
なお、本実施形態の場合、図２Ａに示すように、第１筒部９ａと第２筒部９ｂは、軸部６の直径線Ｌ１上に並んで配置されておらず、軸部６の中心点Ｏ１及び第１筒部９ａの中心点Ｏ２を結んだ直線Ｌａと、軸部６の中心点Ｏ１及び第２筒部９ｂの中心点Ｏ３を結んだ直線Ｌｂとが成す角度θ１が１８０度未満、より好ましくは１２０度以下になるように選定されている。これにより、本実施形態では、第１筒部９ａ、軸部６及び第２筒部９ｂを、単に軸部６の直径線Ｌ１上に沿って幅方向ｙ１に横一列に配置させた場合に比して、幅方向ｙ１における、第１筒部９ａ、軸部６及び第２筒部９ｂの配置領域を狭めて小さくすることができる。
【００１７】
図１に示すように、第２可動軸１２ｂにも、第２保持機構１０ｂが先端に設けられているとともに、リング状の把持部１１ｂが基端に一体成形されている。第２可動軸１２ｂは、把持部１１ｂが第２保持機構１０ｂに近づく方向ｘ１に向けて押されると、第２筒部９ｂ内において第２保持機構１０ｂ側に向けて移動する。また、第２可動軸１２ｂは、把持部１１ｂが第２保持機構１０ｂから遠ざかる方向ｘ２に向けて引かれると、第２筒部９ｂ内において把持部１１ｂ側に向けて移動する。
【００１８】
第２保持機構１０ｂは、第２可動片１６ｂを有しており、第２筒部９ｂに設けられた回動部１９に第２可動片１６ｂの基端が回動可能に設けられている。第２可動片１６ｂは、第２可動軸１２ｂがｘ１方向又はｘ２方向に移動することにより、基端を回転軸として先端が開閉可能な構成を有している。なお、第２保持機構１０ｂの詳細な構成については後述する。
【００１９】
（２）第１保持機構及び第２保持機構の詳細構成
次に、第１保持機構１０ａ及び第２保持機構１０ｂの詳細構成について説明する。図２Ｂは、図１に示した植毛器具１の先端部８、第１保持機構１０ａ及び第２保持機構１０ｂを拡大した部分拡大図である。また、図３は、図２Ｂの矢印Ｄ方向から、先端部８、第１保持機構１０ａ及び第２保持機構１０ｂを見たときの構成を示した概略図である。
【００２０】
図２Ｂに示すように、第１筒部９ａの先端には、先端部８から離れる方向に向けて第１筒部９ａから膨出した膨出部１５ａが形成されており、膨出部１５ａに回動部１９が設けられている。
【００２１】
第１可動片１６ａは、湾曲先端部１７ａと基端部１８ａとが一体成形された構成を有し、基端部１８ａが回動部１９に回動自在に設けられている。また、基端部１８ａは、連結部２３ａを介在して第１可動軸１２ａに連結されている。
【００２２】
本実施形態では、第１可動片１６ａの基端部１８ａは、先端部８に沿って膨出部１５ａから突出した第１可動軸１２ａの先端を避けるように切り欠かれた切欠部１８ｃを有しており、切欠部１８ｃにより形成された、切欠部１８ｃ、先端部８及び膨出部１５ａで囲まれた中空領域ＥＲ２内に第１可動軸１２ａの先端が配置するように構成されている。
【００２３】
連結部２３ａは、第１筒部９ａの先端（膨出部１５ａ）から突出した第１可動軸１２ａの先端と、当該第１可動軸１２ａの延長線上に配置された基端部１８ａとを連結している。また、連結部２３ａは、一端が第１可動軸１２ａに回動自在に設けられているとともに、他端が基端部１８ａに回動自在に設けられている。
【００２４】
本実施形態では、連結部２３ａは、所定の厚みを有した楕円形状に形成されており、一端の平坦面と第１可動軸１２ａの表面とが回動部２１で軸支され、他端の平坦面と基端部１８ａの表面とが回動部２０で軸支されている。
【００２５】
ここで、図４は、図３において矢印Ａ方向から第１保持機構１０ａを見たときの概略図であり、第１可動軸１２ａがｘ１方向に移動したときの第１可動片１６ａの状態を示したものである。図４に示すように、第１保持機構１０ａは、ｘ１方向に第１可動軸１２ａが移動すると、回動部２１を支点にして連結部２３ａの他端が先端部８から離れる方向に回転する。
【００２６】
これにより、第１可動片１６ａでは、先端部８から離れる方向に働く外力が連結部２３ａから与えられ、膨出部１５ａの回動部１９を支点に、湾曲先端部１７ａが先端部８から離れる方向に回動する。かくして、第１可動片１６ａは、湾曲先端部１７ａの先端面２５ａが先端部８から離れ、湾曲先端部１７ａと先端部８との間の中空状の保持領域ＥＲ１が外空間と連通し、開状態となる。
【００２７】
この状態において、第１保持機構１０ａは、ｘ１方向とは逆のｘ２方向（図１）に第１可動軸１２ａが移動すると、回動部２１を支点にして連結部２３ａの他端が先端部８に近づく方向に回転する。これにより、第１可動片１６ａは、先端部８に引き付けられる外力が回動部２０を介して連結部２３ａから与えられ、膨出部１５ａの回動部１９を支点に、湾曲先端部１７ａが先端部８に近づく方向に回動する。かくして、第１可動片１６ａは、湾曲先端部１７ａの先端面２５ａと、当接面２５ｃと、が先端部８と当接し、湾曲先端部１７ａと先端部８との間の保持領域ＥＲ１が外空間と非連通となり、閉状態となる（図２Ｂ）。
【００２８】
なお、本実施形態では、湾曲先端部１７ａは、円柱状部材からなり、閉状態において、先端部８から次第に離れた後に先端部８に次第に近づくような湾曲形状を有しており、先端部８との間に保持領域ＥＲ１を形成し得る。また、湾曲先端部１７ａの先端面２５ａは、湾曲先端部１７ａが対向する先端部８の第１側面８ａの形状に合わせて平坦状に形成されており、図３に示すように、第１側面８ａに当接して湾曲先端部１７ａが閉状態になったとき、第１側面８ａに隙間なく密着し得る。
【００２９】
ここで、先端部８は、三角支柱状に形成されており、第１可動片１６ａが当接する第１側面８ａと、第２可動片１６ｂが当接する第２側面８ｂとが、傾いて形成されている。より具体的には、第１側面８ａと第２側面８ｂとの角度θ２は、２０度以上１２０度以下であることが望ましい。
【００３０】
第１側面８ａと第２側面８ｂとの角度θ２を２０度以上とすることで、先端部８を肉厚に形成でき、先端部８の機械的強度を維持し得る。第１側面８ａと第２側面８ｂとの角度θ２を１２０度以下とすることで、幅方向ｙ１の大きさを小さくしつつ、第１可動片１６ａ及び第２可動片１６ｂを、先端部８を介在させて対向配置させることができる。
【００３１】
次に、第２保持機構１０ｂについて以下説明する。図２Ｂに示すように、第２筒部９ｂの先端にも、先端部８から離れる方向に向けて膨出した膨出部１５ｂが形成されており、膨出部１５ｂに回動部１９が設けられている。
【００３２】
第２可動片１６ｂは、挟持部１７ｂと基端部１８ｂとが一体成形された構成を有し、基端部１８ｂが回動部１９に回動自在に設けられている。また、基端部１８ｂは、連結部２３ｂを介在して第２可動軸１２ｂに連結されている。
【００３３】
本実施形態では、第２可動片１６ｂの基端部１８ｂは、先端部８に沿って膨出部１５ｂから突出した第２可動軸１２ｂの先端を避けるように切り欠かれた切欠部１８ｄを有しており、切欠部１８ｄにより形成された、切欠部１８ｄ、先端部８及び膨出部１５ｂで囲まれた中空領域ＥＲ２内に第２可動軸１２ｂの先端が配置するように構成されている。
【００３４】
連結部２３ｂは、第２筒部９ｂの先端（膨出部１５ｂ）から突出した第２可動軸１２ｂの先端と、当該第２可動軸１２ｂの延長線上に配置された基端部１８ｂとを連結している。また、連結部２３ｂは、一端が第２可動軸１２ｂに回動自在に設けられているとともに、他端が基端部１８ｂに回動自在に設けられている。
【００３５】
本実施形態では、連結部２３ｂは、上述した連結部２３ａと同様に、所定の厚みを有した楕円形状に形成されており、一端の平坦面と第２可動軸１２ｂの表面とが回動部２１で軸支され、他端の平坦面と基端部１８ｂの表面とが回動部２０で軸支されている。
【００３６】
ここで、図５は、図３において矢印Ｂ方向から第２保持機構１０ｂを見たときの概略図であり、第２可動軸１２ｂがｘ１方向に移動したときの第２可動片１６ｂの状態を示したものである。図５に示すように、第２保持機構１０ｂは、ｘ１方向に第２可動軸１２ｂが移動すると、回動部２１を支点にして連結部２３ｂの他端が先端部８から離れる方向に回転する。
【００３７】
これにより、第２可動片１６ｂは、先端部８から離れる方向に働く外力が連結部２３ｂから与えられ、膨出部１５ｂの回動部１９を支点に、挟持部１７ｂが先端部８から離れる方向に回動する。かくして、第２可動片１６ｂは、挟持部１７ｂの平坦面２５ｂが先端部８から離れ、挟持部１７ｂが開状態となり得る。
【００３８】
この状態において、第２保持機構１０ｂは、ｘ２方向（図１）に向けて第２可動軸１２ｂが移動すると、回動部２１を支点にして連結部２３ｂの他端が先端部８に近づく方向に回転する。これにより、第２可動片１６ｂは、先端部８に引き付けられる外力が回動部２０を介して連結部２３ｂから与えられ、膨出部１５ｂの回動部１９を支点に、挟持部１７ｂが先端部８に近づく方向に回動する。かくして、第２可動片１６ｂは、挟持部１７ｂの平坦面２５ｂが先端部８と当接し、閉状態となり得る。
【００３９】
なお、本実施形態では、挟持部１７ｂの平坦面２５ｂは、挟持部１７ｂが対向する、先端部８の第２側面８ｂの形状に合わせて平坦状に形成されており、図３に示すように、第２側面８ｂに当接して挟持部１７ｂが閉状態になったとき、第２側面８ｂに隙間なく密着し得る。
【００４０】
（３）本発明の植毛器具の持ち方の一例
ここで、図６は、植毛器具１を使用する際の植毛器具１の持ち方の一例を示した概略図である。作業者は、植毛器具１を使用して、かつらベースの線状部に毛髪を結び付ける際、例えば、植毛器具１の基部２におけるリング状の把持部７内に親指Ｈ１を通す。また、この際、第２保持部４におけるリング状の把持部１１ｂ内には人指し指Ｈ２を通し、第１保持部３におけるリング状の把持部１１ａ内には中指Ｈ３を通す。
【００４１】
これにより、作業者は、親指Ｈ１を基準に、人指し指Ｈ２をｘ１方向又はｘ２方向に移動させることで、第１保持機構１０ａの第１可動片１６ａを開状態又は閉状態にすることができる。また、作業者は、親指Ｈ１を基準に、中指Ｈ３をｘ１方向又はｘ２方向に移動させることで、第２保持機構１０ｂの第２可動片１６ｂを開状態又は閉状態にすることができる。
【００４２】
作業者は、このように人指し指Ｈ２及び中指Ｈ３を適宜移動させることで、第１可動片１６ａ及び第２可動片１６ｂを開閉動作させ、必要に応じて毛髪を保持等することで、例えば、「パンダブル植え」、「シングルパンシングル植え」又は「ダブルシングル植え」により毛髪をかつらベースに結び付けることができる。
【００４３】
（４）本発明の植毛器具の使用例
（４−１）本発明の植毛器具を使用した「パンダブル植え」について
次に、「パンダブル植え」により毛髪をかつらベースの線状部に結び付けるときに、植毛器具１をどのように使用するかについて以下説明する。始めに、植毛器具１を用意する（準備工程）とともに、線状部が網目状に形成されたかつらベースと、毛髪とを用意する。図７Ａに示すように、Ｕ字状に２つ折りにされた毛髪３１を、かつらベースの線状部３０で折り返し、かつらベースの一方の面側において、毛髪３１に第１ループＲ１を形成して、第１ループＲ１と、毛髪３１の自由端である２本の毛片３１ａ，３１ｂとを、かつらベースの一方の面側で対向配置させる（第１ループ形成工程）。
【００４４】
次いで、植毛器具１における第１保持機構１０ａの第１可動片１６ａと、第２保持機構１０ｂの第２可動片１６ｂとを閉状態にしたまま、毛髪３１で形成した第１ループＲ１の中に植毛器具１の先端を挿通する。この際、第１ループＲ１の外側から、自由端の２本の毛片３１ａ，３１ｂに向けて、第１ループＲ１の中に植毛器具１を挿通させる。次いで、図７Ｂに示すように、第１保持機構１０ａの第１可動片１６ａを開状態にし、自由端の２本の毛片３１ａ，３１ａのうち、１本の毛片３１ｂを先端部８及び第１可動片１６ａの間に位置させる。次いで、図８Ａに示すように、第１可動片１６ａを閉状態にし、先端部８及び第１可動片１６ａの間の保持領域ＥＲ１で毛片３１ｂを遊動自在に保持する（第１毛片保持工程）。
【００４５】
次いで、図８Ｂに示すように、第１保持機構１０ａで１本の毛片３１ｂを保持したまま、植毛器具１を第１ループＲ１から引き抜く（第１引き抜き工程）。これにより、植毛器具１で保持した１本の毛片３１ｂが、第１ループＲ１の中を通過した状態になる。次いで、図９Ａに示すように、第１保持機構１０ａで毛片３１ｂを保持したまま植毛器具１を第１ループＲ１の側方（図９Ａ中の矢印方向）に移動させた後、図９Ｂに示すように、第１ループＲ１の中を通らずに第１ループＲ１の側方を通って、自由端である残りの１本の毛片３１ａに向けて植毛器具１の先端を移動させる。
【００４６】
これにより、第１保持機構１０ａで保持している毛片３１ｂが、第１ループＲ１で折り返され、かつ、植毛器具１の第２保持機構１０ｂが挿入された第２ループＲ２を、第１ループＲ１の側方に形成する（第２ループ形成工程）。
【００４７】
次いで、図９Ｂに示すように、第２保持機構１０ｂの第２可動片１６ｂを開状態にし、植毛器具１で保持されていない、自由端である残り１本の毛片３１ａを、先端部８及び第２可動片１６ｂの間に位置させる。そして、図１０Ａに示すように、第２可動片１６ｂを閉状態にし、先端部８及び第２可動片１６ｂで毛片３１ａを挟持し、第２保持機構１０ｂで毛片３１ａを保持する。
【００４８】
また、この際、第１可動片１６ａを開状態にし、第１保持機構１０ａで保持していた毛片３１ｂを離して開放する（第２毛片保持工程）。このようにして、植毛器具１で保持して第２ループＲ２を形成した毛片３１ｂを離して、自由端の他の毛片３１ａに持ち替える。
【００４９】
次いで、図１０Ｂに示すように、第２保持機構１０ｂで持ち替えた１本の毛片３１ａを保持したまま、植毛器具１を第２ループＲ２内から引き抜く。これにより、植毛器具１で持ち替えた１本の毛片３１ａを、第２ループＲ２の中に通過させ、自由端の毛片３１ａ，３１ｂを引っ張ることで、「パンダブル植え」による結び目を毛髪３１に形成し、毛髪３１をかつらベースの線状部３０に結着させることができる（第２引き抜き工程）。
【００５０】
（４−２）本発明の植毛器具を使用した「シングルパンシングル植え」について
次に、「シングルパンシングル植え」により毛髪３１をかつらベースの線状部３０に結び付けるときに、植毛器具１をどのように使用するかについて以下説明する。この場合、図１１Ａに示すように、Ｕ字状に２つ折りにされた毛髪３１を、かつらベースの線状部３０で折り返し、かつらベースの一方の面側において、毛髪３１に第１ループＲ１を形成して、第１ループＲ１と、毛髪３１の自由端である２本の毛片３１ａ，３１ｂとを、かつらベースの一方の面側で対向配置させる（第１ループ形成工程）。
【００５１】
次いで、植毛器具１における第１保持機構１０ａの第１可動片１６ａと、第２保持機構１０ｂの第２可動片１６ｂとを閉状態にしたまま、毛髪３１で形成した第１ループＲ１の外側から、自由端の２本の毛片３１ａ，３１ｂに向けて、第１ループＲ１の中に植毛器具１の先端を挿通する。次いで、自由端の２本の毛片３１ａ，３１ｂ両方を、先端部８及び第１可動片１６ａの間の保持領域ＥＲ１で保持する（第１毛片保持工程）。
【００５２】
次いで、図１１Ｂに示すように、第１保持機構１０ａで２本の毛片３１ａ，３１ｂを保持したまま、植毛器具１を第１ループＲ１から引き抜く（第１引き抜き工程）。これにより、植毛器具１で保持した２本の毛片３１ａ，３１ｂが、第１ループＲ１の中を通過した状態になる。次いで、図１２Ａに示すように、第１保持機構１０ａで毛片３１ａ，３１ｂを保持したまま植毛器具１を、第１ループＲ１の側方（図１２Ａ中の矢印方向）に移動させた後、図１２Ｂに示すように、第１ループＲ１の中を通らずに第１ループＲ１の側方を通って、自由端である２本の毛片３１ａ，３１ｂに向けて植毛器具１の先端を移動させる。
【００５３】
これにより、第１保持機構１０ａで保持している毛片３１ａ，３１ｂが、第１ループＲ１で折り返され、かつ、植毛器具１の第２保持機構１０ｂが挿入された第２ループＲ２及び第３ループＲ３を、第１ループＲ１の側方に形成する（第２ループ形成工程）。なお、この場合、一方の毛片３１ｂにより第２ループＲ２が形成され、他方の毛片３１ａにより第３ループＲ３が形成される。
【００５４】
次いで、図１２Ｂに示すように、第２保持機構１０ｂの第２可動片１６ｂを開状態にし、自由端である１本の毛片３１ａを先端部８及び第２可動片１６ｂの間に位置させる。次いで、図１３Ａに示すように、第２可動片１６ｂを閉状態にし、先端部８及び第２可動片１６ｂで１本の毛片３１ａを挟持し、第２保持機構１０ｂで毛片３１ａを保持する。
【００５５】
また、この際、第１可動片１６ａを開状態とし、第１保持機構１０ａで保持していた２本の毛片３１ａ，３１ｂの両方を離して開放する（第２毛片保持工程）。このようにして、植毛器具１で保持して第２ループＲ２及び第３ループＲ３を形成した毛片３１ｂ，３１ａを離して、自由端の毛片３１ａに持ち替える。
【００５６】
次いで、図１３Ｂに示すように、第２保持機構１０ｂで持ち替えた１本の毛片３１ａを保持したまま、植毛器具１を第２ループＲ２及び第３ループＲ３の中から引き抜く。これにより、植毛器具１で持ち替えた１本の毛片３１ａを、第２ループＲ２及び第３ループＲ３の中に通過させ、自由端の毛片３１ａ，３１ｂを引っ張ることで、「シングルパンシングル植え」による結び目を毛髪３１に形成し、毛髪３１をかつらベースの線状部３０に結着させることができる（第２引き抜き工程）。
【００５７】
（４−３）本発明の植毛器具を使用した「ダブルシングル植え」について
次に、「ダブルシングル植え」により毛髪３１をかつらベースの線状部３０に結び付けるときに、植毛器具１をどのように使用するかについて以下説明する。この場合、上述した「（４−２）本発明の植毛器具を使用した「シングルパンシングル植え」について」と同様、図１１Ａ及び図１１Ｂに示すように、第１ループ形成工程、第１毛片保持工程及び第１引き抜き工程を経て、第１保持機構１０ａで２本の毛片３１ａ，３１ｂを保持したまま、植毛器具１を第１ループＲ１から引き抜く。
【００５８】
その後、図１４Ａに示すように、第１保持機構１０ａで毛片３１ａ，３１ｂを保持したまま植毛器具１を第１ループＲ１の側方（図１４Ａ中の矢印方向）に移動させた後、図１４Ｂに示すように、第１ループＲ１の中を通らずに第１ループＲ１の側方を通って、自由端である２本の毛片３１ａ，３１ｂに向けて植毛器具１の先端を移動させる。
【００５９】
これにより、第１保持機構１０ａで保持している毛片３１ａ，３１ｂが、第１ループＲ１で折り返され、かつ、植毛器具１の第２保持機構１０ｂが挿入された第２ループＲ２及び第３ループＲ３を、第１ループＲ１の側方に形成する（第２ループ形成工程）。
【００６０】
次いで、図１４Ｂに示すように、第２保持機構１０ｂの第２可動片１６ｂを開状態にし、自由端である２本の毛片３１ａ，３１ｂの両方を先端部８及び第２可動片１６ｂの間に位置させる。次いで、図１５Ａに示すように、第２可動片１６ｂを閉状態にし、先端部８及び第２可動片１６ｂで、自由端の２本の毛片３１ａ，３１ｂを挟持することにより、第２保持機構１０ｂで２本の毛片３１ａ，３１ｂの両方を保持する。
【００６１】
また、この際、第１可動片１６ａを開状態にし、第１保持機構１０ａで保持していた２本の毛片３１ａ，３１ｂの両方を離して開放する（第２毛片保持工程）。このようにして、植毛器具１により保持して第２ループＲ２及び第３ループＲ３を形成した２本の毛片３１ｂ，３１ａを離して、自由端の２本の毛片３１ａ，３１ｂに持ち替える。
【００６２】
次いで、図１５Ｂに示すように、第２保持機構１０ｂで持ち替えた２本の毛片３１ａ，３１ｂを保持したまま植毛器具１を第２ループＲ２内及び第３ループＲ３内から引き抜く。これにより、植毛器具１で持ち替えた２本の毛片３１ａ，３１ｂを、第２ループＲ２及び第３ループＲ３の中に通過させ、自由端の毛片３１ａ，３１ｂを引っ張ることで、「ダブルシングル植え」による結び目を毛髪３１に形成し、毛髪３１をかつらベースの線状部３０に結着させることができる（第２引き抜き工程）。
【００６３】
（５）作用及び効果
以上の構成において、植毛器具１では、基部２の先端部８に対して開閉自在に設けられた第１可動片１６ａを使用して、毛髪３１に結び目を形成する際に必要に応じて、第１可動片１６ａと先端部８との間に毛髪３１を挟んで保持する。また、植毛器具１では、先端部８を介在して第１可動片１６ａと対向する位置に、第１可動片１６ａと独立して開閉自在に設けられた第２可動片１６ｂを使用し、毛髪３１に結び目を形成する際に必要に応じて、第２可動片１６ｂと先端部８との間に毛髪３１を挟んで保持する。
【００６４】
これにより、植毛器具１では、第１可動片１６ａで毛片３１ｂを保持した状態のまま、必要に応じて第２可動片１６ｂでも他の毛片３１ａを保持することができるので、毛髪３１を絡ませずに植毛作業を行うことができる。かくして、植毛器具１では、容易に毛髪３１をかつらベースに植毛できる。
【００６５】
また、植毛器具１では、かつらベースの線状部３０に毛髪３１を結び付ける際、第１可動片１６ａ及び第２可動片１６ｂで保持する毛片３１ａ，３１ｂの本数を変えるだけで、「パンダブル植え」、「シングルパンシングル植え」又は「ダブルシングル植え」のいずれの結び方も行うことができる。
【００６６】
本実施形態による植毛器具１では、第１可動片１６ａに湾曲先端部１７ａを設け、湾曲先端部１７ａと先端部８との間に形成される保持領域ＥＲ１で毛髪３１を遊動自在に保持する。例えば、「パンダブル植え」を行う際、図９Ａ及び図９Ｂに示すように、第１可動片１６ａで毛片３１ｂを保持しながら植毛器具１を第１ループＲ１周辺で適宜移動させることになる。この際、植毛器具１では、毛片３１ｂが保持領域ＥＲ１内を自由に移動できるので、植毛器具１を移動させても、毛片３１ｂに急激な捻じれが生じることなく、毛片３１ｂへの負担を低減できる。
【００６７】
また、本実施形態による植毛器具１では、第２可動片１６ｂに挟持部１７ｂを設け、挟持部１７ｂと先端部８とで毛髪３１を挟持する。植毛器具１では、第１可動片１６ａと第２可動片１６ｂの形状を非対称とし、第１可動片１６ａの湾曲先端部１７ａと異なり、第２可動片１６ｂの挟持部１７ｂに、毛髪３１が遊動する保持領域ＥＲ１が形成されていない分、厚みを小さくできる。これにより、植毛器具１では、例えば、「パンダブル植え」を行う際、図９Ｂ及び図１０Ｂに示すように、挟持部１７ｂが第２ループＲ２内に挿通するとき、挟持部１７ｂが第２ループＲ２に引っ掛からずにスムーズに通過させることができる。
【００６８】
さらに、例えば、「パンダブル植え」を行う際、第２可動片１６ｂにより毛片３１ａを挟持するときには、図１０Ａ及び図１０Ｂに示すように、毛片３１ａを挟持した第２可動片１６ｂを第２ループＲ２内から単に引き抜くだけであるため、第２可動片１６ｂにより毛片３１ａを挟持して固定状態で保持しても、毛片３１ｂへの負担が小さいため、毛片３１ｂの損傷を防止できる。
【００６９】
また、植毛器具１では、図２Ａに示したように、軸部６の中心点Ｏ１及び第１筒部９ａの中心点Ｏ２を結んだ直線Ｌａと、軸部６の中心点Ｏ１及び第２筒部９ｂの中心点Ｏ３を結んだ直線Ｌｂとが成す角度θ１が１８０度未満に選定されていることから、幅方向ｙ１における、第１筒部９ａ、軸部６及び第２筒部９ｂの配置領域が狭めて小さく、毛片３１ｂの小さな第１ループＲ１等でも容易に挿通させることができる。
【００７０】
（６）他の実施形態
なお、上述した実施形態においては、第１保持機構１０ａの第１可動片１６ａに湾曲先端部１７ａを設け、第２保持機構１０ｂの第２可動片１６ｂに、湾曲先端部１７ａとは異なる形状の挟持部１７ｂを設けるようにしたが、本発明はこれに限らない。
【００７１】
例えば、第１可動片１６ａ及び第２可動片１６ｂの両方に湾曲先端部１７ａを設け、第１可動片１６ａ及び第２可動片１６ｂの両方に、毛髪３１を保持するための保持領域ＥＲ１を有する構成としてもよい。また、第１可動片１６ａ及び第２可動片１６ｂの両方に挟持部１７ｂを設け、第１可動片１６ａ及び第２可動片１６ｂの両方で毛髪３１を挟持するようにしてもよい。
【００７２】
なお、保持領域ＥＲ１を形成する場合には、円柱状部材を湾曲した湾曲先端部１７ａである必要はなく、支柱状の第１可動片を設け、先端部８の第１側面８ａと対向する面に凹み部を設けて保持領域ＥＲ１を形成してもよく、また、先端部８の第１側面８ａに凹み部を設けて保持領域ＥＲ１を形成するようにしてもよい。
【００７３】
また、上述した実施形態においては、三角支柱状の先端部８とした場合について述べたが、本発明はこれに限らず、例えば、台形支柱状からなり、第１可動片が対向する第１側面と、第２可動片が対向する第２側面とが傾斜している先端部としてもよい。
【００７４】
また、上述した実施形態においては、円柱状の軸部６と、軸部６の先端に設けられた三角支柱状の先端部８とを有した、棒状の基部２を適用した場合について述べたが、本発明はこれに限らず、四角柱状や五角柱状などの多角柱状の軸部及び先端部を有した、棒状の基部を適用してもよい。
【００７５】
（６−１）連結部を備えた第１保持機構及び第２保持機構のその他の実施形態
上述した実施形態においては、第１可動片１６ａ及び第２可動片１６ｂの各切欠部１８ｃ，１８ｄにより形成された中空領域ＥＲ２内に、第１可動軸１２ａ及び第２可動軸１２ｂの先端を配置して、第１可動片１６ａ及び第２可動片１６ｂを、それぞれ基部２の側方に設けた連結部２３ａ，２３ｂにより第１可動軸１２ａ及び第２可動軸１２ｂに連結するようにしたが、本発明はこれに限らない。
【００７６】
本発明の植毛器具は、基部２の先端部８に対して開閉自在に設けられた第１可動片１６ａを使用して毛髪３１を保持できるとともに、第１可動片１６ａと独立して開閉自在に設けられた第２可動片１６ｂを使用して毛髪３１を保持することができれば、第１保持機構及び第２保持機構は種々の構成としてもよい。
【００７７】
例えば、図１６Ａ及び図１６Ｂに示すように、基部３６内に形成した中空領域ＥＲ３内に連結部４４ａ，４４ｂを配置し、第１可動片４１ａ及び第２可動片４１ｂを、それぞれ連結部４４ａ，４４ｂにより第１可動軸１２ａ及び第２可動軸１２ｂに連結するようにしてもよい。
【００７８】
ここで、図１６Ａは、第１可動片４１ａ及び第２可動片４１ｂを閉状態としたときの植毛器具３５を示した概略図であり、図１６Ｂは、第１可動片４１ａ及び第２可動片４１ｂを開状態としたときの植毛器具３５を示した概略図である。
【００７９】
この場合、基部３６は、第１保持部３７の第１筒部９ａと、第２保持部３８の第２筒部９ｂとが、軸部４０の側面に沿って設けられており、軸部４０には、側面が開口され、内部が中空状の中空領域ＥＲ３が形成されている。また、基部３６には、軸部４０の中空領域ＥＲ３が形成された部位の先端に、三角支柱状に形成された先端部８が設けられている。
【００８０】
第１保持部３７に設けられた第１保持機構３９ａは、第１可動片４１ａ及び連結部４４ａを有しており、第１可動片４１ａが連結部４４ａを介して第１可動軸１２ａに連結されている。第１可動片４１ａは、湾曲先端部１７ａと基端部４２ａとが一体成形された構成を有し、基端部４２ａが基部３６の中空領域ＥＲ３内に配置されている。
【００８１】
第１可動片４１ａの基端部４２ａは、第１保持部３７側にある湾曲先端部１７ａから第２保持部３８側に向けて延設されており、後述する第２可動片４１ｂの基端部４２ｂと交差する位置に設けられた回動部４５に回動自在に軸支されている。基端部４２ａは、連結部４４ａを介して第１可動軸１２ａに連結されている。
【００８２】
連結部４４ａは、第１筒部９ａから突出した第１可動軸１２ａの先端と、第２保持部３８側に位置した第１可動片４１ａの基端部４２ａとを連結しており、基部３６の中空領域ＥＲ３内において、後述する第２保持機構３９ｂの連結部４４ｂと交わるように配置されている。本実施形態では、連結部４４ａは、所定の厚みを有した楕円形状に形成されており、一端の平坦面と第１可動軸１２ａの表面とが回動部４７ａで軸支され、他端の平坦面と基端部４２ａの表面とが回動部４６ａで軸支されている。
【００８３】
このような構成を有する第１保持機構３９ａでは、図１６Ｂに示すように、ｘ１方向に第１可動軸１２ａが移動すると、連結部４４ａから与えられる外力によって、第１可動片４１ａの基端部４２ａと、連結部４４ａとを軸支している回動部４６ａが、先端部８から離れる方向に移動する。その結果、第１可動片４１ａは、回動部４５を支点に、湾曲先端部１７ａが先端部８から離れる方向に向けて回動し、開状態になる。
【００８４】
この状態において、第１保持機構３９ａでは、ｘ１方向とは逆のｘ２方向に第１可動軸１２ａが移動すると、連結部４４ａから与えられる外力によって、第１可動片４１ａの基端部４２ａと、連結部４４ａとを軸支している回動部４６ａが、先端部８に近づく方向に移動する。その結果、第１可動片４１ａは、回動部４５を支点に、湾曲先端部１７ａが先端部８に近づく方向に向けて回動し、閉状態になる。
【００８５】
第２保持部３８に設けられた第２保持機構３９ｂも同様に、第２可動片４１ｂ及び連結部４４ｂを有しており、第２可動片４１ｂが連結部４４ｂを介して第２可動軸１２ｂに連結されている。第２可動片４１ｂは、挟持部１７ｂと基端部４２ｂとが一体成形された構成を有し、基端部４２ｂが基部３６の中空領域ＥＲ３内に配置されている。
【００８６】
第２可動片４１ｂの基端部４２ｂは、第２保持部３８側にある挟持部１７ｂから第１保持部３７側に向けて延設されており、第１可動片４１ａの基端部４２ａと交差する位置に設けられた回動部４５に回動自在に軸支されている。基端部４２ｂは、連結部４４ｂを介して第２可動軸１２ｂに連結されている。
【００８７】
連結部４４ｂは、第２筒部９ｂから突出した第２可動軸１２ｂの先端と、第１保持部３７側に位置した第２可動片４１ｂの基端部４２ｂとを連結しており、基部３６の中空領域ＥＲ３内において、第１保持機構３９ａの連結部４４ａと交わるように配置されている。本実施形態では、連結部４４ｂは、上述した連結部４４ａと同様に、所定の厚みを有した楕円形状に形成されており、一端の平坦面と第２可動軸１２ｂの表面とが回動部４７ｂで軸支され、他端の平坦面と基端部４２ｂの表面とが回動部４６ｂで軸支されている。
【００８８】
このような構成を有する第２保持機構３９ｂも、図１６Ｂに示すように、ｘ１方向に第２可動軸１２ｂが移動すると、連結部４４ｂから与えられる外力によって、第２可動片４１ｂの基端部４２ｂと、連結部４４ｂとを軸支している回動部４６ｂが、先端部８から離れる方向に移動する。その結果、第２可動片４１ｂは、回動部４５を支点に、挟持部１７ｂが先端部８から離れる方向に向けて回動し、開状態になる。
【００８９】
この状態において、第２保持機構３９ｂでは、ｘ１方向とは逆のｘ２方向に第２可動軸１２ｂが移動すると、連結部４４ｂから与えられる外力によって、第２可動片４１ｂの基端部４２ｂと、連結部４４ｂとを軸支している回動部４６ｂが、先端部８に近づく方向に移動する。その結果、第２可動片４１ｂは、回動部４５を支点に、挟持部１７ｂが先端部８に近づく方向に向けて回動し、閉状態になる。
【００９０】
以上より、図１６Ａ及び図１６Ｂに示す植毛器具３５でも、第１可動片４１ａで毛髪３１の毛片３１ｂを保持した状態のまま、必要に応じて、第１可動片４１ａとは独立に第２可動片４１ｂを開閉動作させ、第２可動片４１ｂでも他の毛片３１ａを保持することができる。従って、植毛器具３５でも、毛髪３１を絡ませずに植毛作業を行うことができ、かくして、容易に毛髪３１をかつらベースに植毛できる。
【００９１】
（６−２）板ばねを備えた第１保持機構及び第２保持機構
第１保持機構及び第２保持機構のその他の実施形態としては、図１７Ａ及び図１７Ｂに示すように、板ばね５８ａ，５８ｂを備えた第１保持機構５６ａ及び第２保持機構５６ｂを適用してもよい。ここで、図１７Ａは、第１可動片５７ａ及び第２可動片５７ｂを閉状態としたときの植毛器具５１を示した概略図であり、図１７Ｂは、第１可動片５７ａ及び第２可動片５７ｂを開状態としたときの植毛器具５１を示した概略図である。
【００９２】
第１保持部５３に設けられた第１保持機構５６ａは、第１可動片５７ａ及び板ばね５８ａが一体成形された構成を有しており、板ばね５８ａの基端が、第１筒部９ａ内で移動する第１可動軸１２ａ（図１７Ａでは図示せず）の先端に一体成形されている。
【００９３】
板ばね５８ａの先端には第１可動片５７ａが一体成形されている。第１可動片５７ａは、円柱状部材からなり、閉状態において、先端部８から次第に離れた後に先端部８に次第に近づくような湾曲形状を有しており、先端部８との間に保持領域ＥＲ１を形成し得る。
【００９４】
図１７Ｂに示すように、第１可動片５７ａは、第１可動片５７ａが対向する先端部８の第１側面の形状に合わせて先端面６０ａが平坦状に形成されている。これにより、図１７Ａに示すように、第１可動片５７ａは、第１側面に当接して閉状態になったとき、先端面６０ａが第１側面に隙間なく密着し得る。
【００９５】
第１保持機構５６ａは、図１７Ａに示すように、第１可動片５７ａが閉状態のとき、板ばね５８ａが第１筒部９ａ内に収容されることで、先端部８から離れる方向に働く板ばね５８ａの弾性力を第１筒部９ａにより抑え、第１可動片５７ａの先端面６０ａを先端部８に押し付けるように構成されている。
【００９６】
本実施形態では、図１７Ｂに示すように、第１筒部９ａ内の配置された第１可動軸１２ａがｘ１方向に移動すると、板ばね５８ａが第１筒部９ａ内から延出される。ここで、第１筒部９ａから延出する板ばね５８ａは、第１可動片５７ａが設けられた先端側にゆくに従って、先端部８から次第に離れるように外方に向けて反った形状となっている。
【００９７】
これにより、板ばね５８ａは、第１筒部９ａ内から延出されると、第１可動片５７ａの先端面６０ａを、先端部８と重ならない位置にまでｘ１方向に移動させるとともに、板ばね５８ａが有する、先端部８から離れる方向に働く弾性力により、先端部８から離れる方向に第１可動片５７ａを移動させる。かくして、第１可動片５７ａは、先端面６０ａが先端部８から離れ、先端部８との間の保持領域ＥＲ１が外空間と連通し、開状態になる。
【００９８】
この状態において、第１保持機構５６ａは、ｘ１方向とは逆のｘ２方向に、第１筒部９ａ内の第１可動軸１２ａが移動すると、板ばね５８ａが第１筒部９ａ内に収納されるとともに、第１可動片５７ａの先端面６０ａが先端部８側に引き寄せられ、第１可動片５７ａの先端面６０ａが先端部８に当接する（図１７Ａ）。これにより、第１可動片５７ａと先端部８との間の保持領域ＥＲ１が外空間と非連通となり、閉状態になる。
【００９９】
なお、本実施形態では、第２保持機構５６ｂも第１保持機構５６ａと同一構成を有しており、第２保持部５４の第２筒部９ｂ内の第２可動軸１２ｂが、ｘ１方向に移動することにより、板ばね５８ｂが第２筒部９ｂ内から延出され、第１可動片５７ｂが開状態になる。また、第２保持部５４の第２筒部９ｂ内の第２可動軸１２ｂが、ｘ２方向に移動することにより、板ばね５８ｂが第２筒部９ｂ内に収容され、第１可動片５７ｂが閉状態になる。
【０１００】
以上より、図１７Ａ及び図１７Ｂに示す植毛器具５１でも、上述した実施形態と同様、第１可動片５７ａで毛髪３１の毛片３１ｂを保持した状態のまま、必要に応じて、第１可動片５７ａとは独立に第２可動片５７ｂを開閉動作させ、第２可動片５７ｂでも他の毛片３１ａを保持することができる。従って、植毛器具５１でも、毛髪３１を絡ませずに植毛作業を行うことができ、かくして、容易に毛髪３１をかつらベースに植毛できる。
【符号の説明】
【０１０１】
１、３５、５１  植毛器具
２  基部
３  第１保持部
４  第２保持部
８  先端部
１０ａ  第１保持機構
１０ｂ  第２保持機構
１６ａ  第１可動片
１６ｂ  第２可動片
【図１】
2020193404.tif 000003
【図２】
2020193404.tif 000004
【図３】
2020193404.tif 000005
【図４】
2020193404.tif 000006
【図５】
2020193404.tif 000007
【図６】
2020193404.tif 000008
【図７】
2020193404.tif 000009
【図８】
2020193404.tif 000010
【図９】
2020193404.tif 000011
【図１０】
2020193404.tif 000012
【図１１】
2020193404.tif 000013
【図１２】
2020193404.tif 000014
【図１３】
2020193404.tif 000015
【図１４】
2020193404.tif 000016
【図１５】
2020193404.tif 000017
【図１６】
2020193404.tif 000018
【図１７】
2020193404.tif 000019